(57)【要約】  【課題】  メガネレンズのケースとして利用することができるとともにメガネとしても利用することのできるメガネレンズケースを提供する。  【解決手段】  メガネレンズケース１は、左右のメガネレンズＬが収納されるレンズ収納部２を有する本体３と、本体３の左右両側からそれぞれ延設されている左右一対の突片部４を備える。本体３には、レンズ収納部２に収納された左右のメガネレンズＬの中央部分に対応する位置にそれぞれ窓部５が設けられている。【選択図】  図１
2019128529.tif 000002
【特許請求の範囲】
【請求項１】
左右のメガネレンズが収納されるレンズ収納部を有する本体と、
前記本体の左右両側からそれぞれ延設されている左右一対の突片部と、
を備え、
前記本体には、前記レンズ収納部に収納される前記左右のメガネレンズの中央部分に対応する位置にそれぞれ窓部が設けられていることを特徴とするメガネレンズケース。
【請求項２】
前記突片部は、前記本体に対して折り畳み可能となるようにヒンジ部を介して前記本体に接続されている、請求項１に記載のメガネレンズケース。
【請求項３】
前記本体および前記突片部は、クッション性を有する材料で構成されている、請求項１または請求項２に記載のメガネレンズケース。
【請求項４】
前記本体および前記突片部は、紙材、木材、プラスティックまたはゴムを含む樹脂、金属、皮革、または、布で構成されている、請求項１または請求項２に記載のメガネレンズケース。
【請求項５】
前記メガネレンズは、メガネフレームから取り外された使用済みレンズである、請求項１〜請求項４のいずれか一項に記載のメガネレンズケース。
【発明の詳細な説明】
【技術分野】
【０００１】
本発明は、メガネレンズのケースとして利用可能であるとともにメガネとしても利用可能であるメガネレンズケースに関する。
【背景技術】
【０００２】
従来から、メガネレンズを保護するためのケースが提案されている（例えば特許文献１参照）。例えば、従来のメガネレンズケースでは、メガネにメガネレンズが取り付けられている状態でメガネレンズをケースの内部に収納することによって、メガネレンズを保護している。
【先行技術文献】
【特許文献】
【０００３】
【特許文献１】特表２００９−５２８１２３号公報
【発明の概要】
【発明が解決しようとする課題】
【０００４】
しかしながら、従来のメガネレンズケースは、メガネレンズのケースとして利用することができるものの、それ以外の用途で利用することはできない。そこで、メガネレンズのケースとして利用することができるだけでなく、他の用途でも利用することのできるメガネレンズケースが望まれていた。
【０００５】
本発明は、上記の課題に鑑みてなされたもので、メガネレンズのケースとして利用することができるとともにメガネとしても利用することのできるメガネレンズケースを提供することを目的とする。
【課題を解決するための手段】
【０００６】
本発明のメガネレンズケースは、左右のメガネレンズが収納されるレンズ収納部を有する本体と、前記本体の左右両側からそれぞれ延設されている左右一対の突片部と、を備え、前記本体には、前記レンズ収納部に収納される前記左右のメガネレンズの中央部分に対応する位置にそれぞれ窓部が設けられている。
【０００７】
この構成によれば、左右のメガネレンズを本体のレンズ収納部に収納することにより、メガネレンズケースをケースとして利用することができる。そのうえ、このメガネレンズケースの本体には、レンズ収納部に収納された左右のメガネレンズの中央部分に対応する位置にそれぞれ窓部が設けられているので、突片部を左右の耳にかけることによりメガネレンズケースをメガネとして利用することもできる。
【０００８】
また、本発明のメガネレンズケースでは、前記突片部は、前記本体に対して折り畳み可能となるようにヒンジ部を介して前記本体に接続されてもよい。
【０００９】
この構成によれば、メガネレンズケースの突片部が本体に対して折り畳み可能となっているので、メガネレンズケースをケースとして利用する場合には、突片部を折り畳んでコンパクトな状態にすることができる。また、メガネレンズケースをメガネとして利用する場合には、突片部を開いて耳にかけられる状態にすることができる。
【００１０】
また、本発明のメガネレンズケースでは、前記本体および前記突片部は、クッション性を有する材料で構成されてもよい。
【００１１】
この構成によれば、メガネレンズケースの本体と突片部がクッション性を有する材料で構成されているので、レンズ収納部に収納したレンズを衝撃から保護することができる。
【００１２】
また、本発明のメガネレンズケースでは、前記本体および前記突片部は、紙材、木材、プラスティックまたはゴムを含む樹脂、金属、皮革、または、布で構成されてもよい。
【００１３】
この構成によれば、メガネレンズケースの本体と突片部を構成する材料として、段ボールなどの紙材や、バルサなどの木材、プラスティックまたはゴムを含む樹脂、金属、皮革、または、布を利用することができる。
【００１４】
また、本発明のメガネレンズケースでは、前記メガネレンズは、メガネフレームから取り外された使用済みレンズであってもよい。
【００１５】
この構成によれば、メガネ店などでメガネフレームから取り外された使用済みレンズを顧客に返却するときに、使用済みレンズをメガネレンズケースに収納した状態で顧客に渡すことができる。すなわち、メガネ店での使用済みレンズの返却サービスに利用することができる。
【発明の効果】
【００１６】
本発明によれば、メガネレンズのケースとして利用することができるとともにメガネとしても利用することができるメガネレンズケースを提供することができる。
【図面の簡単な説明】
【００１７】
【図１】本発明の実施の形態におけるメガネレンズケースの斜視図である。
【図２】本発明の実施の形態におけるメガネレンズケース（折り畳んだ状態）の斜視図である。
【図３】本発明の実施の形態におけるメガネレンズケースの側断面図である。
【図４】本発明の実施の形態におけるメガネレンズケースの展開図である。
【図５】本発明の実施の形態におけるメガネレンズケースの組立て方の説明図である。
【図６】本発明の実施の形態におけるメガネレンズケースの組立て方の説明図である。
【図７】本発明の実施の形態におけるメガネレンズケースの組立て方の説明図である。
【発明を実施するための形態】
【００１８】
以下、本発明の実施の形態のメガネレンズケースについて、図面を用いて説明する。本実施の形態では、メガネ店での使用済みレンズ（メガネフレームから取り外されたメガネレンズ）の返却サービス等に用いられるメガネレンズケースの場合を例示する。
【００１９】
本発明の実施の形態のメガネレンズケースの構成を、図面を参照して説明する。図１は、本実施の形態のメガネレンズケースの斜視図であり、図２は、折り畳んだ状態のメガネレンズケースの斜視図である。また、図７は、メガネレンズケースの側断面図である。図１〜図３に示すように、メガネレンズケース１は、左右のメガネレンズＬが収納されるレンズ収納部２を有する本体３と、本体３の左右両側からそれぞれ延設されている左右一対の突片部４を備えている。
【００２０】
本体３には、レンズ収納部２に収納された左右のメガネレンズＬの中央部分に対応する位置（左右の目に対応する位置）にそれぞれ窓部５が設けられている。また、本体３の下部には、鼻に係止される凹部６が設けられている。突片部４の先端には、耳に係止される係止部７が形成されており、突片部４はメガネの「つる」としての機能を有している。また、突片部４は、折り曲げ可能なヒンジ部８を介して本体３に接続されており、本体３に対して折り畳み可能とされている。
【００２１】
本実施の形態では、メガネレンズケース１の本体３と突片部４は、クッション性を有する紙材（段ボールなど）で構成されている。なお、メガネレンズケース１の本体３と突片部４の材料としては、紙材のほかに、木材、樹脂（プラスティックやゴムなど）、金属、皮革、布なども利用することができる。
【００２２】
以上のように構成されたメガネレンズケース１について、図４〜図７を参照してその組立て方を説明する。図４は、本実施の形態のメガネレンズケース１の展開図である。図４に示すように、メガネレンズケース１を展開した状態で、本体３は、左右両側から突片部４が延設されているベース部３０と、前記ベース部３０の下側に連結されている下側カバー部３１と、前記ベース部３０の上側に連結されている上側カバー部３２を備えている。
【００２３】
メガネレンズケース１を組み立てる場合には、図５に示すように、本体３のベース部３０の左右の窓部５の上にそれぞれ左右のメガネレンズＬを載置する。つぎに、図６に示すように、下側カバー部３１をベース部３０に向けて折り曲げて、下側カバー部３１をベース部３０の上に重ねる。下側カバー部３１をベース部３０の上に重ねることによって、メガネレンズＬはベース部３０と下側カバー部３１との間に挟まれた状態になる。そして、図７に示すように、上側カバー部３２をベース部３０に向けて折り曲げて、上側カバー部３２をベース部３０と下側カバー部３１の上に重ねる。上側カバー部３２をベース部３０と下側カバー部３１の上に重ねることによって、メガネレンズＬは本体３の内部（レンズ収納部２）に収納された状態になる。最後に、ヒンジ部８の部分で突片部４を折り曲げることにより、メガネレンズケース１の組み立てが完了する（図１および図２参照）。
【００２４】
本実施の形態のメガネレンズケース１によれば、左右のメガネレンズＬを本体３のレンズ収納部２に収納することにより、メガネレンズケース１をケースとして利用することができる（図７参照）。そのうえ、このメガネレンズケース１の本体３には、レンズ収納部２に収納された左右のメガネレンズＬの中央部分に対応する位置にそれぞれ窓部５が設けられているので、突片部４を左右の耳にかけることによりメガネレンズケース１をメガネとして利用することもできる（図１参照）。
【００２５】
また、本実施の形態では、メガネレンズケース１の突片部４が本体３に対して折り畳み可能となっているので、メガネレンズケース１をケースとして利用する場合には、突片部４を折り畳んでコンパクトな状態にすることができる（図２参照）。また、メガネレンズケース１をメガネとして利用する場合には、突片部４を開いて耳にかけられる状態にすることができる（図１参照）。
【００２６】
また、本実施の形態では、メガネレンズケース１の本体３と突片部４がクッション性を有する材料で構成されているので、レンズ収納部２に収納したレンズを衝撃から保護することができる。
【００２７】
また、本実施の形態では、メガネレンズケース１の本体３と突片部４を構成する材料として、段ボールなどの紙材や、バルサなどの木材、プラスティックまたはゴムを含む樹脂、金属、皮革、または、布を利用することができる。
【００２８】
また、本実施の形態では、メガネ店などでメガネフレームから取り外された使用済みレンズを顧客に返却するときに、使用済みレンズをメガネレンズケース１に収納した状態で顧客に渡すことができる。すなわち、メガネ店での使用済みレンズの返却サービスに利用することができる。
【００２９】
以上、本発明の実施の形態を例示により説明したが、本発明の範囲はこれらに限定されるものではなく、請求項に記載された範囲内において目的に応じて変更・変形することが可能である。
【００３０】
例えば、上記の実施の形態では、メガネレンズケースを、メガネ店での使用済みレンズの返却サービスに利用する場合について説明したが、本発明の範囲はこれに限定されない。メガネレンズケースは、メガネ店での未使用のレンズ（新品のレンズ）を顧客に渡す場合にも利用することができる。
【００３１】
また、上記の実施の形態では、メガネレンズケースに、左右両方のメガネレンズが収納される場合について説明したが、本発明の範囲はこれに限定されない。メガネレンズケースには、左右どちらか一方のメガネレンズが収納されてもよい。左右どちらか一方のメガネレンズを収納した場合であっても、メガネレンズケースは、メガネレンズのケースとして利用することができるとともにメガネとしても利用することができる。
【産業上の利用可能性】
【００３２】
以上のように、本発明にかかるメガネレンズケースは、メガネレンズのケースとして利用することができるとともにメガネとしても利用することができるという効果を有し、メガネ店での使用済みレンズの返却サービス等に用いられ、有用である。
【符号の説明】
【００３３】
１  メガネレンズケース
２  レンズ収納部
３  本体
４  突片部
５  窓部
６  凹部
７  係止部
８  ヒンジ部
３０  ベース部
３１  下側カバー部
３２  上側カバー部
Ｌ  メガネレンズ
【図１】
2019128529.tif 000003
【図２】
2019128529.tif 000004
【図３】
2019128529.tif 000005
【図４】
2019128529.tif 000006
【図５】
2019128529.tif 000007
【図６】
2019128529.tif 000008
【図７】
2019128529.tif 000009